(57)【特許請求の範囲】
【請求項１】
モバイル通信ネットワークにおける補助セル識別情報（ＡＣＩ）伝送および検出をサポートするシステムであって、前記システムは、ＡＣＩユニットとＡＣＩ検出器とを備え、
前記ＡＣＩユニットは、セル内にあり、前記ＡＣＩユニットは、動作時、
１つ以上の一次領域および１つ以上の二次領域において伝送されるようにＡＣＩを設計および構成することであって、前記二次領域のそれぞれは、前記一次領域のうちの１つに関連付けられている、ことと、
前記一次領域および前記二次領域のそれぞれに対して、複数の直交シーケンスを含むベースシーケンスのセットを定義することと、
前記ベースシーケンスの一部において、事前に定義されたインデックスセットを保存することにより、ユーザ機器（ＵＥ）において雑音電力推定を促進することと、
前記ＡＣＩを、１つ以上の伝送において、前記セルの対象範囲内に位置する複数のユーザ機器（ＵＥ）に伝送することと
を行うように構成されており、
前記ＡＣＩ検出器は、前記複数のＵＥのそれぞれの中にあり、前記ＡＣＩ検出器は、動作時、前記伝送されたＡＣＩを検出することと、前記検出されたＡＣＩに基づいて、前記セルを識別することとを行うように構成されている、システム。
【請求項２】
前記モバイル通信ネットワークは、ＬＴＥネットワークである、請求項１に記載のシステム。
【請求項３】
前記セルは、マクロベースステーション、高伝送電力ベースステーション、低伝送電力ノード（ＬＰＮ）、および、識別および接続のために、多層ネットワークにおいて、そのセル識別情報をＵＥ１０４に伝送するように動作可能である別のベースステーションのうちの１つである、請求項１に記載のシステム。
【請求項４】
前記ＡＣＩユニットは、前記セルの物理セル識別情報（ＰＣＩ）とともに、前記ＡＣＩを伝送するように構成されている、請求項１に記載のシステム。
【請求項５】
前記ＡＣＩは、それ自体による独立セル識別情報または前記セルの識別のための前記ＰＣＩに対する補完セル識別情報のいずれかとして利用される、請求項４に記載のシステム。
【請求項６】
前記ＡＣＩユニットは、１つの一次領域および１つの二次領域のみが前記ＡＣＩの伝送の間に存在する場合には、前記モバイル通信ネットワークにおける一次同期チャネルおよび二次同期チャネルに加えて、前記一次領域および前記二次領域を未使用のリソース要素（ＲＥ）にマッピングするように構成されている、請求項１に記載のシステム。
【請求項７】
前記ＡＣＩユニットは、前記ＡＣＩの伝送に先立って、前記一次領域および／または前記二次領域の構成および定義を動的に調節するように構成されている、請求項１に記載のシステム。
【請求項８】
前記ＡＣＩユニットは、前記一次領域の全ておよび前記二次領域の全てのベースシーケンスのインデックスの組み合わせとして、前記ＡＣＩを構成するように構成されている、請求項１に記載のシステム。
【請求項９】
前記ＡＣＩユニットは、前記ＡＣＩの伝送の間、前記一次領域において、前記ベースシーケンスにスクランブルをかけないように構成されている、請求項１に記載のシステム。
【請求項１０】
前記ＡＣＩユニットは、前記ＡＣＩの伝送の間、スクランブリングシーケンスによって、前記二次領域において、前記ベースシーケンスにスクランブルをかけるように構成されている、請求項１に記載のシステム。
【請求項１１】
前記ＡＣＩユニットは、対応する一次領域のベースシーケンスインデックスに基づいて、前記二次領域のスクランブリングシーケンスを生成するように構成されている、請求項１０に記載のシステム。
【請求項１２】
前記ＡＣＩユニットは、対応する一次領域のベースシーケンスインデックスと前記セルの物理セル識別情報（ＰＣＩ）との両方に基づいて、前記二次領域のスクランブリングシーケンスを生成するように構成されている、請求項１１に記載のシステム。
【請求項１３】
前記ＡＣＩユニットは、１無線フレームに２回、前記ＡＣＩを伝送するように構成されており、第１の伝送は、第１の一次領域および第１の二次領域を介し、第２の伝送は、第２の一次領域および第２の二次領域を介する、請求項１に記載のシステム。
【請求項１４】
前記ＡＣＩ検出器は、前記ＡＣＩユニットが、１無線フレームに２回、前記ＡＣＩを伝送する場合に、前記無線フレームの各半分において、前記ＡＣＩを独立して検出するように構成されている、請求項１３に記載のシステム。
【請求項１５】
前記ＡＣＩユニットは、前記無線フレーム内または周期的にあるパターンで、前記ＡＣＩの伝送を繰り返すように構成されている、請求項１３に記載のシステム。
【請求項１６】
前記ＡＣＩユニットは、マクロベースステーションと同一の層において、前記ＡＣＩを伝送するように構成されている、請求項１に記載のシステム。
【請求項１７】
前記ＡＣＩユニットは、前記複数のＵＥと共有される共通層において、前記ＡＣＩを伝送するように構成されている、請求項１に記載のシステム。
【請求項１８】
モバイル通信ネットワークにおける補助セル識別情報（ＡＣＩ）伝送および検出をサポートする方法であって、
１つ以上の一次領域および１つ以上の二次領域においてセルによって伝送されるように、ＡＣＩを設計および構成することであって、前記二次領域のそれぞれは、前記一次領域のうちの１つに関連付けられている、ことと、
前記一次領域および前記二次領域のそれぞれに対して、複数の直交シーケンスを含むベースシーケンスのセットを定義することと、
前記ベースシーケンスの一部において、事前に定義されたインデックスセットを保存することにより、ユーザ機器（ＵＥ）において雑音電力推定を促進することと、
前記ＡＣＩを、１つ以上の伝送において、前記セルの対象範囲内に位置する複数のユーザ機器（ＵＥ）に伝送することと、
前記伝送されたＡＣＩを検出し、前記検出されたＡＣＩに基づいて、前記セルを識別することと
を含む、方法。
【請求項１９】
前記セルの物理セル識別情報（ＰＣＩ）とともに、前記ＡＣＩを伝送することをさらに含む、請求項１８に記載の方法。
【請求項２０】
それ自体による独立セル識別情報または前記セルの識別のための前記ＰＣＩに対する補完セル識別情報のいずれかとして、前記ＡＣＩを利用することをさらに含む、請求項１９に記載の方法。
【請求項２１】
１つの一次領域および１つの二次領域のみが前記ＡＣＩの伝送の間に存在する場合には、前記モバイル通信ネットワークにおける一次同期チャネルおよび二次同期チャネルに加えて、前記一次領域および前記二次領域を未使用のリソース要素（ＲＥ）にマッピングすることをさらに含む、請求項１８に記載の方法。
【請求項２２】
前記ＡＣＩの伝送に先立って、前記一次領域および／または前記二次領域の構成および定義を動的に調節することをさらに含む、請求項１８に記載の方法。
【請求項２３】
前記一次領域の全ておよび前記二次領域の全てのベースシーケンスのインデックスの組み合わせとして、前記ＡＣＩを構成することをさらに含む、請求項１８に記載の方法。
【請求項２４】
前記ＡＣＩの伝送の間、前記一次領域において、前記ベースシーケンスにスクランブルをかけないことをさらに含む、請求項１８に記載の方法。
【請求項２５】
前記ＡＣＩの伝送の間、スクランブリングシーケンスによって、前記二次領域において、前記ベースシーケンスにスクランブルをかけることをさらに含む、請求項１８に記載の方法。
【請求項２６】
対応する一次領域のベースシーケンスインデックスに基づいて、前記二次領域のスクランブリングシーケンスを生成することをさらに含む、請求項２５に記載の方法。
【請求項２７】
対応する一次領域のベースシーケンスインデックスと前記セルの物理セル識別情報（ＰＣＩ）との両方に基づいて、前記二次領域のスクランブリングシーケンスを生成することをさらに含む、請求項２６に記載の方法。
【請求項２８】
１無線フレームに２回、前記ＡＣＩを伝送することをさらに含み、第１の伝送は、第１の一次領域および第１の二次領域を介し、第２の伝送は、第２の一次領域および第２の二次領域を介する、請求項１８に記載の方法。
【請求項２９】
前記ＡＣＩが、１無線フレームに２回、伝送される場合、前記無線フレームの各半分において、前記ＡＣＩを独立して検出することをさらに含む、請求項２８に記載の方法。
【請求項３０】
前記無線フレーム内または周期的にあるパターンで、前記ＡＣＩの伝送を繰り返すことをさらに含む、請求項２８に記載の方法。
【請求項３１】
マクロベースステーションと同一の層において、前記ＡＣＩを伝送することをさらに含む、請求項１８に記載の方法。
【請求項３２】
前記複数のＵＥと共有される共通層において、前記ＡＣＩを伝送することをさらに含む、請求項１８に記載の方法。
【発明の詳細な説明】
【技術分野】
【０００１】
（関連特許出願）
本願は、２０１３年７月２３日に出願され、“Ｍｅｔｈｏｄ  ｆｏｒ  ｔｒａｎｓｍｉｔｔｉｎｇ  ａｎ  ａｕｘｉｌｉａｒｙ  ｃｅｌｌ  ｉｄｅｎｔｉｔｙ，”と題された、仮出願第６１／８５７，４５４号に対する３５  Ｕ．Ｓ．Ｃ．  §１１９（ｅ）のもとでの優先権の利益を主張するものであり、該仮出願の全体は、参照により本明細書中に援用される。
【０００２】
本発明は、概して、セルラー通信システムに関し、特に、多くの小さいセルを含有する密に展開されたネットワークに関する。
【背景技術】
【０００３】
現代のセルラー通信システムは、世界中で、音声サービスだけでなく、モバイルブロードバンドサービスも提供している。携帯電話および他のワイヤレスデバイスに関する用途の数が、増加し続け、かつてないほど増加するより多くのデータ量を消費し続けるにつれて、モバイルブロードバンドデータサービスに対する膨大な需要が、もたらされる。これは、通信会社のオペレータに、データスループットを改善し、限定されたリソースの効率的利用を最大限にすることを要求する。
【０００４】
２地点間に関するスペクトル効率が、その理論的限界にすでに近づいているという事実に応答して、通信業界は、モバイルブロードバンドデータサービスに対する増大する需要を充足するために、多層ネットワークの概念を導入している。概して、多層ネットワークは、周波数帯域幅、伝送電力等の異なる物理的なリソースが、ブロードバンドデータサービスを提供することをもたらす、またはそれを可能にするベースステーションのいくつかの層から成る。異種ネットワークは、高伝送電力ベースステーションから成るマクロ層が、少なくとも１つのコモンキャリアを使用して、別の低伝送電力ノード（ＬＰＮ）層で補完される、典型的な２層ネットワークの一実施例である。異種ネットワークの別の実施例は、マクロ層が、マクロ層ノードと異なる周波数キャリアを使用して、通信を提供する低伝送電力ノードの別の層で補完される場合のものである。
【０００５】
機能する多層ネットワークを達成させることおよびネットワークの複数の層を統合することは、多くの課題がある。非限定実施例に関して、多層ネットワークを展開する１つの成果は、サイトの密度がそうでなければ要求されるものよりもはるかに高いことである。ある重要な課題は、現在の物理セル識別情報（ＰＣＩ）の衝突または混同に対処し、より効率的なセル発見機構等を開発することによって、異なる層の間において効率的な動作を可能にすることである。高密度多層ネットワークの非限定実施例では、現在の機構は、層間と層内ネットワークとの両方に対して、極めて非効率に動作する。非効率性のうちの１つは、ハンドセットの電力消費によってもたらされる。
【０００６】
セルラーモバイルネットワークの非限定実施例では、ＰＣＩは、通常、同期チャネル内において搬送され、移動性管理に関連する多くの制御メッセージに使用される。例えば、ユーザ機器（ＵＥ）が現在のものよりも良好なセルを検出する場合、検出されたセルのＰＣＩを含有する測定報告を送信する。その頻繁な使用に起因して、ＰＣＩは、そのシグナリングオーバーヘッドを低減させるために、グローバルの代わりに、ローカルに定義される。したがって、ＰＣＩは、限られた数の隣接セル内のみで区別可能であり、自己組織ネットワーク（ＳＯＮ）内の自動隣接関係（ＡＮＲ）の基礎である。ロングタームエボリューション（ＬＴＥ）ネットワークでは、例えば、ＰＣＩは、一次同期信号（ＰＳＳ）インデックス｛０、１、２｝および二次同期信号（ＳＳＳ）インデックス｛０、１、．．．、１６７｝によって示される。したがって、合計で、３＊１６８＝５０４の区別可能であるＰＣＩがある。限られた数のＰＣＩがあるため、ネットワークが、例えば、より多くのＬＰＮを追加することによって、より密になるにつれて、ベースステーションが複製のＰＣＩを伴う隣接セルを有する状況があるであろう。したがって、ＵＥからの測定報告に含まれる、ＰＣＩからのハンドオーバーに関する補正標的セルを判定することができない。これは、ＵＥに、対応するグローバルＩＤを報告するように命令することによって解決されることができるが、この方法は、無線でより多くのシグナリングリソースを消費するだけでなく、移動性能も低下させる。
【発明の概要】
【課題を解決するための手段】
【０００７】
本発明の１つの目的は、上記に説明される効率低下および不利点を能動的に回避または減少させることである。本発明の一実施形態では、補助セル識別情報が、同期チャネル（例えば、一次および二次同期チャネル）上で搬送される従来の物理セル識別情報に加えて、提案される。補助セル識別情報の導入に伴って、現在の物理セル識別情報の衝突および混同が解決されることができるだけでなく、高速セル発見等の層間の動作がより迅速かつ効率的に完了されることもでき、したがって、モバイルネットワークの性能を改善する。
例えば本願は以下の項目を提供する。
（項目１）
モバイル通信ネットワーク内における、補助セル識別情報（ＡＣＩ）伝送および検出をサポートするシステムであって、
セル内のＡＣＩユニットであって、動作時、
１つまたはそれを上回る一次領域および１つまたはそれを上回る二次領域内において伝送されるように、ＡＣＩを設計および構成することであって、前記二次領域はそれぞれ、前記一次領域のうちの１つと関連付けられる、ことと、
前記ＡＣＩを、１つまたはそれを上回る伝送において、前記セルの対象範囲内に位置する複数のユーザ機器（ＵＥ）に伝送することと
を行うように構成される、ＡＣＩユニットと、
前記ＵＥのそれぞれ内におけるＡＣＩ検出器であって、動作時、前記伝送されたＡＣＩを検出し、前記検出されたＡＣＩに基づいて、前記セルを識別するように構成される、ＡＣＩ検出器と
を備える、システム。
（項目２）
前記モバイル通信ネットワークは、ＬＴＥネットワークである、項目１に記載のシステム。
（項目３）
前記セルは、マクロベースステーション、高伝送電力ベースステーション、低伝送電力ノード（ＬＰＮ）、ならびに識別および接続のために、多層ネットワークにおいて、そのセル識別情報をＵＥ１０４に伝送するように動作可能である別のベースステーションのうちの１つである、項目１に記載のシステム。
（項目４）
前記ＡＣＩユニットは、前記セルの物理セル識別情報（ＰＣＩ）とともに、前記ＡＣＩを伝送するように構成される、項目１に記載のシステム。
（項目５）
前記ＡＣＩは、それ自体による独立セル識別情報または前記セルの識別のための前記ＰＣＩに対する補完セル識別情報のいずれかとして利用される、項目４に記載のシステム。
（項目６）
前記ＡＣＩユニットは、１つの一次領域および１つの二次領域のみ、前記ＡＣＩの伝送の間、存在する場合、前記モバイル通信ネットワークにおける一次および二次同期チャネルに加えて、前記一次領域および前記二次領域を未使用のリソース要素（ＲＥ）にマッピングするように構成される、項目１に記載のシステム。
（項目７）
前記ＡＣＩユニットは、前記ＡＣＩの伝送に先立って、前記一次領域および／または前記二次領域の構成および定義を動的に調節するように構成される、項目１に記載のシステム。
（項目８）
前記ＡＣＩユニットは、前記一次領域および前記二次領域毎に、複数の直交シーケンスを含むベースシーケンスのセットを定義するように構成される、項目１に記載のシステム。
（項目９）
前記ＡＣＩユニットは、前記一次領域の全ておよび前記二次領域の全てのベースシーケンスのインデックスの組み合わせとして、前記ＡＣＩを構成するように構成される、項目８に記載のシステム。
（項目１０）
前記ＡＣＩユニットは、前記ＡＣＩの伝送の間、前記一次領域内において、前記ベースシーケンスにスクランブルをかけないように構成される、項目８に記載のシステム。
（項目１１）
前記ＡＣＩユニットは、前記ＡＣＩの伝送の間、スクランブリングシーケンスによって、前記二次領域内において、前記ベースシーケンスにスクランブルをかけるように構成される、項目８に記載のシステム。
（項目１２）
前記ＡＣＩユニットは、対応する一次領域のベースシーケンスインデックスに基づいて、前記二次領域のスクランブリングシーケンスを生成するように構成される、項目１１に記載のシステム。
（項目１３）
前記ＡＣＩユニットは、対応する一次領域のベースシーケンスインデックスと前記セルの物理セル識別情報（ＰＣＩ）との両方に基づいて、前記二次領域のスクランブリングシーケンスを生成するように構成される、項目１２に記載のシステム。
（項目１４）
前記ＡＣＩユニットは、前記ベースシーケンスの一部内において、事前に定義されたインデックスセットを保存し、前記ＵＥにおいて雑音電力推定を促進するように構成される、項目８に記載のシステム。
（項目１５）
前記ＡＣＩユニットは、１無線フレームに２回、前記ＡＣＩを伝送するように構成され、第１の伝送は、第１の一次領域および第１の二次領域を介し、第２の伝送は、第２の一次領域および第２の二次領域を介する、項目１に記載のシステム。
（項目１６）
前記ＡＣＩ検出器は、前記ＡＣＩユニットが、１無線フレームに２回、前記ＡＣＩを伝送する場合、前記無線フレームの各半分内において、前記ＡＣＩを独立して検出するように構成される、項目１５に記載のシステム。
（項目１７）
前記ＡＣＩユニットは、前記無線フレーム内または周期的にあるパターンで、前記ＡＣＩの伝送を繰り返すように構成される、項目１５に記載のシステム。
（項目１８）
前記ＡＣＩユニットは、マクロベースステーションと同一の層内において、前記ＡＣＩを伝送するように構成される、項目１に記載のシステム。
（項目１９）
前記ＡＣＩユニットは、前記ＵＥと共有される共通層内において、前記ＡＣＩを伝送するように構成される、項目１に記載のシステム。
（項目２０）
モバイル通信ネットワーク内における、補助セル識別情報（ＡＣＩ）伝送および検出をサポートする方法であって、
１つまたはそれを上回る一次領域および１つまたはそれを上回る二次領域内において、セルによって伝送されるように、ＡＣＩを設計および構成するステップであって、前記二次領域はそれぞれ、前記一次領域のうちの１つと関連付けられる、ステップと、
前記ＡＣＩを、１つまたはそれを上回る伝送において、前記セルの対象範囲内に位置する複数のユーザ機器（ＵＥ）に伝送するステップと、
前記伝送されたＡＣＩを検出し、前記検出されたＡＣＩに基づいて、前記セルを識別するステップと
を含む、方法。
（項目２１）
前記セルの物理セル識別情報（ＰＣＩ）とともに、前記ＡＣＩを伝送するステップをさらに含む、項目２０に記載の方法。
（項目２２）
それ自体による独立セル識別情報または前記セルの識別のための前記ＰＣＩに対する補完セル識別情報のいずれかとして、前記ＡＣＩを利用するステップをさらに含む、項目２１に記載の方法。
（項目２３）
１つの一次領域および１つの二次領域のみ、前記ＡＣＩの伝送の間、存在する場合、前記モバイル通信ネットワークにおける一次および二次同期チャネルに加えて、前記一次領域および前記二次領域を未使用のリソース要素（ＲＥ）にマッピングするステップをさらに含む、項目２０に記載の方法。
（項目２４）
前記ＡＣＩの伝送に先立って、前記一次領域および／または前記二次領域の構成および定義を動的に調節するステップをさらに含む、項目２０に記載の方法。
（項目２５）
前記一次領域および前記二次領域毎に、複数の直交シーケンスを含むベースシーケンスのセットを定義するステップをさらに含む、項目２０に記載の方法。
（項目２６）
前記一次領域の全ておよび前記二次領域の全てのベースシーケンスのインデックスの組み合わせとして、前記ＡＣＩを構成するステップをさらに含む、項目２５に記載の方法。
（項目２７）
前記ＡＣＩの伝送の間、前記一次領域内において、前記ベースシーケンスにスクランブルをかけないステップをさらに含む、項目２５に記載の方法。
（項目２８）
前記ＡＣＩの伝送の間、スクランブリングシーケンスによって、前記二次領域内において、前記ベースシーケンスにスクランブルをかけるステップをさらに含む、項目２５に記載の方法。
（項目２９）
対応する一次領域のベースシーケンスインデックスに基づいて、前記二次領域のスクランブリングシーケンスを生成するステップをさらに含む、項目２８に記載の方法。
（項目３０）
対応する一次領域のベースシーケンスインデックスと前記セルの物理セル識別情報（ＰＣＩ）との両方に基づいて、前記二次領域のスクランブリングシーケンスを生成するステップをさらに含む、項目２９に記載の方法。
（項目３１）
前記ベースシーケンスの一部内において、事前に定義されたインデックスセットを保存し、前記ＵＥにおいて雑音電力推定を促進するステップをさらに含む、項目２５に記載の方法。
（項目３２）
１無線フレームに２回、前記ＡＣＩを伝送するステップであって、第１の伝送は、第１の一次領域および第１の二次領域を介し、第２の伝送は、第２の一次領域および第２の二次領域を介する、ステップをさらに含む、項目２０に記載の方法。
（項目３３）
前記ＡＣＩが、１無線フレームに２回、伝送される場合、前記無線フレームの各半分内において、前記ＡＣＩを独立して検出するステップをさらに含む、項目３２に記載の方法。
（項目３４）
前記無線フレーム内または周期的にあるパターンで、前記ＡＣＩの伝送を繰り返すステップをさらに含む、項目３２に記載の方法。
（項目３５）
マクロベースステーションと同一の層内において、前記ＡＣＩを伝送するステップをさらに含む、項目２０に記載の方法。
（項目３６）
前記ＵＥと共有される共通層内において、前記ＡＣＩを伝送するステップをさらに含む、項目２０に記載の方法。
【０００８】
本発明のさらなる特徴および利点ならびに本発明の種々の実施形態の構造および動作が、付随の図面を参照して下記に詳細に説明される。
【図面の簡単な説明】
【０００９】
１つまたはそれを上回る種々の実施形態による、本発明は、以下の図を参照して詳細に説明される。図面は、例証のみの目的のために提供され、単に、本発明の例示的実施形態を描写する。これらの図面は、本発明の読者の理解を促進するために提供され、本発明の範疇、範囲、または適用性の制限と見なされるべきではない。例証の明確性および容易性のために、これらの図面は、必ずしも、縮尺通りではないことに留意されたい。
【００１０】
【図１】図１は、モバイル通信ネットワーク内における、補助セル識別情報伝送および検出をサポートするシステムの実施例を描写する。
【００１１】
【図２】図２は、ＬＴＥネットワーク内における、ＡＣＩ伝送の実施例を描写する。
【００１２】
【図３】図３は、周波数間およびＲＡＴ間の測定間隔に関するパターンの実施例を描写する。
【００１３】
【図４】図４は、モバイル通信ネットワーク内における、補助セル識別情報伝送および検出をサポートするプロセスの実施例のフローチャートを描写する。
【発明を実施するための形態】
【００１４】
本アプローチは、同一参照が類似要素を示す、付随の図面の図において、限定としてではなく、実施例として例証される。本開示における「ある（ａｎ）」または「１つ（ｏｎｅ）」または「いくつかの（ｓｏｍｅ）」実施形態という言及は、必ずしも、同一の実施形態ではなく、そのような言及は、少なくとも１つを意味することに留意されたい。
【００１５】
例示的実施形態の以下の説明では、その一部を形成し、本発明が実践され得る具体的実施形態の例証として示される付随の図面を参照する。他の実施形態が利用されてもよく、構造上の変更が、本発明の好ましい実施形態の範囲から逸脱することなく、行われてもよいことを理解されたい。
【００１６】
本発明は、セルラーまたはモバイル通信システムのためのシステムおよび方法を対象にする。本発明の実施形態は、ＬＴＥネットワークに関連して、本明細書に説明される。しかしながら、本発明は、ＬＴＥネットワークのみに限定されず、本明細書に説明される方法はまた、非限定実施例に関して、モバイル／モバイル通信、ワイヤレスローカルループ通信、ワイヤレスリレー通信、またはワイヤレスバックホール通信等の他の用途においても利用されることができる。
【００１７】
図１は、モバイル通信ネットワーク内における、補助セル識別情報伝送および検出をサポートする、システム１００の実施例を描写する。図は、機能的に別個であるようなコンポーネントを描写するが、そのような描写は、単に、例証的目的のためである。この図に表現されるコンポーネントは、任意に、別個のソフトウェア、ファームウェアおよび／またはハードウェアコンポーネントに組み合わせられる、またはそれらへ分割され得ることが明白であるであろう。
【００１８】
図１の実施例では、システム１００は、それぞれ、補助セル識別情報（ＡＣＩ）ユニット１０４を有する、少なくとも１つのベースステーション（また、本明細書では、「セル」とも称される）１０２を含む。複数のモバイルまたはユーザ機器（ＵＥ）１０６が、セル１０２の対象範囲内のベースステーション１０２に接続し、各ＵＥ１０６は、ＡＣＩ検出器１０８を含む。以下に言及されるように、各ベースステーション１０２は、限定ではないが、マクロベースステーション、高伝送電力ベースステーション、低伝送電力ノード（ＬＰＮ）、または識別および接続のために、多層ネットワークにおいて、そのセル識別情報をＵＥ１０６に伝送するように動作可能である任意の他のタイプのベースステーションであることができる。各ＵＥ１０６は、限定ではないが、モバイルコンピューティング、ストレージ、もしくはラップトップＰＣ、タブレットＰＣ、ｉＰｏｄ、ｉＰｈｏｎｅ、ｉＰａｄ、Ｇｏｏｇｌｅ  Ａｎｄｒｏｉｄデバイス、ポータブルストレージデバイス、または携帯電話等の通信デバイスのうちの１つであることができる。
【００１９】
以下に言及されるように、用語「ユニット（ＵＮＩＴ）」および「検出器（ｄｅｔｅｃｔｏｒ）」は、それぞれ、ハードウェア、ファームウェア、またはソフトウェアおよびソフトウェアを実行するための対応するプロセッサ、もしくは目的を達成させるために使用されるこれらのコンポーネントの１つまたはそれを上回る任意の組み合わせを含む。非限定実施例として、ソフトウェア命令は、不揮発性メモリ（また、二次メモリとも称される）内に記憶される。ソフトウェア命令が実行されると、少なくとも、ソフトウェア命令のサブセットは、コンピューティングユニットによってメモリ（また、一次メモリとも称される）の中に読み込まれる。ソフトウェア命令が実行されると、少なくとも、ソフトウェア命令のサブセットは、メモリの中に読み込まれ、コンピューティングユニットは、プロセスを実践するために、特殊目的のコンピューティングユニットになる。汎用コンピューティングユニット上で実装されると、コンピュータプログラムコード区画は、コンピューティングユニットを構成し、具体的な論理回路を作る。代替として、プロセスは、少なくとも部分的に、プロセスを実施するための特定用途集積回路（ＡＳＩＣ）から形成されるデジタル信号プロセッサ内で具現化され得る。
【００２０】
図１の実施例では、セル１０２のＡＣＩユニット１０４は、１つまたはそれを上回る伝送において、補助セル識別情報（ＡＣＩ）をセル１０２の対象範囲内の複数のＵＥ１０６に伝送するように構成される。ここでは、ＡＣＩは、それ自体による独立セル識別情報、またはセル１０２の識別のために、ＵＥ１０６のＡＣＩ検出器１０８によって、セル１０２の物理セル識別情報（ＰＣＩ）とともに伝送される補完セル識別情報のいずれかとして、使用されることができる。いくつかの実施形態では、セル１０２のＡＣＩユニット１０４は、各ＡＣＩ伝送の間、２種類の領域（一次領域および二次領域）内において、ＡＣＩを設計、構成、および伝送するように構成される。２種類の領域を搬送するためのリソースは、事前に定義され、それぞれ、ＡＣＩ伝送のためのＮｐ一次領域およびＮｓ二次領域であることができる。
【００２１】
いくつかの実施形態では、１つの一次領域および１つの二次領域のみ存在する場合、セル１０２のＡＣＩユニット１０４は、図２に描写されるＬＴＥネットワーク内において、ＡＣＩ伝送の実施例によって示されるようなＡＣＩの伝送の間、ＬＴＥ内の一次および二次同期シンボル／チャネルに加えて、２つの領域を未使用のリソース要素（ＲＥ）にマッピングするように構成される。図２に描写される実施例では、セル１０２のＡＣＩユニット１０４は、１無線フレームに２回、ＡＣＩを伝送するように構成され、それぞれ、第１のＡＣＩ伝送は、一次領域Ｐ０および二次領域Ｓ０を介して、第２の伝送は、一次領域Ｐ１および二次領域Ｓ１を介する。図２に描写される実施例に示されるように、一次領域Ｐ０は、スロット０内のＰＳＳおよびＳＳＳ０の上端のそばで、未使用のＲＥにマッピングされ、二次領域Ｓ０は、スロット０内のＰＳＳおよびＳＳＳ０の下端のそばで、未使用のＲＥにマッピングされる。加えて、一次領域Ｐ１は、スロット１０内のＰＳＳおよびＳＳＳ１の下端のそばで、未使用のＲＥにマッピングされ、二次領域Ｓ１は、スロット１０内のＰＳＳおよびＳＳＳ１の上端のそばで、未使用のＲＥにマッピングされる。
【００２２】
以下に言及されるように、（無線）フレームは、セル１０２のＡＣＩユニット１０４が、規定のフレーム境界内において、同期化を取得し、ＡＣＩを伝送するステップを始め得る速度を管理する主構造を提供する。フレームは、主として、長さと、典型的には、フレーム内の固定の事前に定義された位置に位置する既知のシーケンスを搬送する同期信号の存在と、フレームに関係する制御情報とを特徴とする。フレームはさらに、１つのフレームが、時間ドメイン内において異なるユーザの間で共有されることを可能にする、いくつかのいわゆるサブフレームに分割されることができる。
【００２３】
いくつかの実施形態では、セル１０２のＡＣＩユニット１０４は、動作等の間の必要性に従って、例えば、サブ領域をサブ一次領域またはサブ二次領域になるように再定義または再構成することによって、一次領域および／または二次領域の構成および定義を動的に調節／変更するように構成される。ＡＣＩユニット１０４は、ＡＣＩの伝送に先立って、領域の構成に対してそのような変更を実施する。
【００２４】
いくつかの実施形態では、セル１０２のＡＣＩユニット１０４は、インデックスｍ（０、１、．．．、Ｍｐｉ−１）を伴う一次領域Ｐｉ毎に、長さＮｐｉの複数のＭｐｉ直交シーケンスを含む、ベースシーケンスのセット、すなわち、Ａｐｉｍ（ｎ）（式中、ｎ＝０、１、．．．、Ｎｐｉ−１およびＰｉ＝０、１、．．．、Ｎｐ−１）を定義するように構成される。加えて、セル１０２のＡＣＩユニット１０４はさらに、インデックスｍ（０、１、．．．、Ｍｓｉ−１）を伴う二次領域Ｓｉ毎に、長さＮｓｉの複数のＭｓｉ直交シーケンスを含む、ベースシーケンスのセット、すなわち、Ａｓｉｍ（ｎ）（式中、ｎ＝０、１、．．．、Ｎｓｉ−１およびｓｉ＝０、１、．．．、Ｎｓ−１）を定義するように構成される。そのような定義に続いて、ＡＣＩユニット１０４は、（Ｉ０、Ｉ１、．．、ＩＮｐ−１、Ｊ０、Ｊ１、．．．、ＪＮｓ−１）等の全ての一次領域のインデックスおよび全ての二次領域のインデックスの組み合わせとして、ＡＣＩを設計するように構成され、可能性があるＡＣＩの合計の利用可能である数が、Ｍｐ０＊Ｍｐ１＊．．．＊ＭＮｐ−１＊Ｍｓ０＊Ｍｓ１＊．．．＊ＭＮｓ−１であり、これは、ＰＣＩ衝突および混同を回避するために十分に大きい。
【００２５】
いくつかの実施形態では、１つの一次領域および１つの二次領域のみ、セル１０２のＡＣＩユニット１０４によって定義され利用される場合、ＡＣＩユニット１０４は、２つのインデックス（Ｐｉ、Ｓｊ）の組み合わせとして、ＡＣＩを設計するように構成される（式中、Ｐｉは、一次領域内において伝送されるベースシーケンスインデックスであり、Ｓｊは、二次領域内において伝送されるベースシーケンスインデックスである）。下記のテーブルは、ＡＣＩと一次領域および二次領域のインデックスの組み合わせとの間における、マッピングの実施例を示す。
【表１】
0006440709.tif 000002
上記のテーブルによると、１つの一次シーケンスインデックスおよび１つの二次インデックスを伴うＡＣＩのの最大数は、Ｍｐ＊Ｍｓである（式中、Ｍｐは、一次領域シーケンスの合計数であり、Ｍｓは、二次領域シーケンスの合計数である）。
【００２６】
いくつかの実施形態では、各二次領域は、ある一次領域と関連付けられ、二次領域および対応する一次領域を関連付けるテーブルの実施例が下記に示される。
【表２】
0006440709.tif 000003
【００２７】
いくつかの実施形態では、セル１０２のＡＣＩユニット１０４は、ＡＣＩの伝送の間、一次領域の全て内において、ベースシーケンスにスクランブルをかけないように構成される。いくつかの実施形態では、ＡＣＩユニット１０４は、スクランブリングシーケンスＺｉｍ（ｑ、ｎ）によって、ＡＣＩの伝送の間、二次領域の全て内において、ベースシーケンスにスクランブルをかけるように構成される（但し、ｉ（二次領域インデックス）＝０、１、．．．、Ｎｓ−１、ｍ（二次領域シーケンスインデックス）＝０、１、．．．、Ｍｓｉ−１、ｎ（シーケンス要素インデックス）＝０、１、．．．、Ｎｓｉ−１、ｑ（対応する一次領域内における、一次シーケンスインデックス）＝０、１、．．．、Ｍｐｉ−１）。
【００２８】
いくつかの実施形態では、セル１０２のＡＣＩユニット１０４は、対応する一次領域のベースシーケンスインデックスに基づいて、１つまたはそれを上回る二次領域のスクランブリングシーケンスＺｉｍ（ｑ、ｎ）を生成するように構成される。非限定実施例に関して、二次領域ｉが、一次領域ｋに対応し、ＡＣＩ表現が、一次シーケンスインデックスｑおよびその対応する二次シーケンスｍを含有する場合、ｍシーケンスＱｉｍ（ｑ、ｎ）は、ＡＣＩ表現において、対応する一次シーケンスインデックスｑの初期値で生成される。ベースシーケンスインデックスに対応する、合計でＭｓｉの異なる事前に定義されたシーケンス（Ｑｉｍ（ｑ、ｎ）、ｍ＝０、．．．、Ｍｓｉ−１）の最大値があり、Ｚｉｍ（ｑ、ｎ）＝Ｑｉｍ（ｑ、ｎ）である。
【００２９】
いくつかの実施形態では、セル１０２のＡＣＩユニット１０４は、Ｚｉｍ（ｑ、ｎ）＝Ｑｉｍ（ｑ、ｎ）＊ＣＰＣＩ（ｎ）（式中、ＣＰＣＩ（ｎ）は、ＰＣＩに従って事前に定義されたシーケンス）のように、対応する一次領域のベースシーケンスインデックスとセル１０２の物理セル識別情報（ＰＣＩ）との両方に基づいて、１つまたはそれを上回る二次領域のスクランブリングシーケンスＺｉｍ（ｑ、ｎ）を生成するように構成される。
【００３０】
いくつかの実施形態では、セル１０２のＡＣＩユニット１０４は、ＡＣＩの受信機／ＵＥ１０４側における雑音電力推定を促進するために、ベースシーケンスの一部内またはベースシーケンスの全て内において、事前に定義されたインデックスセットを保存するように構成される。これは、事前に定義されたインデックスセットを伴うベースシーケンスが、セル内の対応する領域内（一次領域または二次領域のいずれか）において、決して伝送されないことを意味する。
【００３１】
いくつかの実施形態では、セル１０２のＡＣＩユニット１０４が、１無線フレームに２回、ＡＣＩを伝送する場合、ＵＥ１０６のＡＣＩ検出器１０８は、図３に描写される、周波数間およびＲＡＴ間の測定間隔に関するパターンの実施例によって示されるような間隔で、周波数間／ＲＡＴ間の測定の要件を充足する、無線フレームの各半分内において、ＡＣＩを独立して検出するように構成される。第１のＡＣＩ伝送と第２のＡＣＩ伝送との間の差は、第２の伝送において、一次領域および二次領域が、周波数ドメイン内で交換されることである。このように、ＡＣＩ検出器１０８は、ＡＣＩが、ＡＣＩの１つのみの出現に応じて、無線フレームの第１の半分または無線フレームの第２の半分内に位置するかどうかを識別することができる。
【００３２】
いくつかの実施形態では、セル１０２のＡＣＩユニット１０４は、各無線フレーム内でまたは周期的にあるパターンで、ＡＣＩの伝送を繰り返すように構成される。そのような伝送シナリオ下、ＡＣＩは、より良好な検出性能をもたらすために、可能とされる場合、１つまたはそれを上回る無線フレーム内において、ＡＣＩ検出器１０８によって、共同して検出されることができる。
【００３３】
いくつかの実施形態では、セル１０２のＡＣＩユニット１０４は、マクロベースステーションと同一の層内において、ＡＣＩを伝送するように構成される。そのような伝送シナリオは、ＡＣＩが、ハンドセット／ＵＥ１０４の電力消費を有意に低減させるために、従来のセル検索プロシージャ等の従来のシグナリングプロシージャに先立って、ハンドセット／ＵＥ１０４によって検出され得るように、同一層内において、セル１０２をより迅速に発見することによって、効率的な多層動作を可能にする。
【００３４】
いくつかの実施形態では、セル１０２のＡＣＩユニット１０４は、ＵＥ１０４と共有される共通層内において、ＡＣＩを伝送するように構成される。そのような伝送シナリオは、ＡＣＩが、ハンドセット／ＵＥ１０４の電力消費を有意に低減させるために、新しい帯域に切替えることなく、かつ従来のセル検索プロシージャ等の従来のシグナリングプロシージャに先立って、ハンドセット／ＵＥ１０４によって検出され得るように、他の層内において、セルをより迅速に発見することによって、効率的な多層動作を可能にする。
【００３５】
いくつかの実施形態では、１つの層がクラスタ方法で体系化される場合、１つのクラスタ内におけるセル１０２は、クラスタＩＤとして作用する同一の一次シーケンスインデックスを有することができる。
【００３６】
図１の実施例では、ＵＥ１０６のＡＣＩ検出器１０８が、ＡＣＩの１回のみの伝送があることを意味する、１無線フレームの半分のみを読み取ると、ＡＣＩ検出器１０８は、以下のように、ＡＣＩを伝送するセル１０２を検出するように構成される。
・まず、ＡＣＩ検出器１０８は、一次領域の全てに関してローカルに生成される一次領域ベースシーケンスを全て相関付ける。そのような相関は、ベースシーケンスの選択肢に従って、行われることができる。例えば、アダマールシーケンスが、全てのベースシーケンスセットに適用される場合、ＡＣＩ検出器１０８は、代わりに、アダマール変換を介して相関を実施することができる。
・次いで、ＡＣＩ検出器１０８は、一次領域の間で相対的より大きいピークを比較する。より大きいピークが、無線フレーム内において、第１のＡＣＩ伝送の一次領域に位置する場合、第１のＡＣＩ伝送が、無線フレーム内における第１の半分であることを意味する。そうでなければ、第１のＡＣＩ伝送は、無線フレーム内における第２の半分である。
・いったん一次領域が識別されると、ＡＣＩ検出器１０８は、識別された一次領域のそれぞれ内に、対応する保存されたインデックスセットを介して雑音電力を推定し、一次領域内における推定の全てを組み合わせ、最終の雑音電力推定を取得する。ＡＣＩ検出器１０８はさらに、誤アラーム率に従って、雑音電力推定を上回るある閾値を適用し、閾値を上回るそれらの相関出力値を選び、したがって、各一次領域内における、検出された一次シーケンスセットを識別する。
・二次領域毎に、ＡＣＩ検出器１０８は、対応する一次領域内において検出された一次シーケンスセットに従って識別されたスクランブリングシーケンスコードを使用し、次いで、マルチユーザ検出（ＭＵＤ）型検出を実施し、対応する一次領域内において検出された一次シーケンス毎に、有効な二次シーケンスセットを見出す。具体的には、二次領域ｊが一次領域ｉと関連付けられ、一次領域ｉ内において検出された一次シーケンスセットが、｛ｄ０、ｄ１、．．．、ｄＤ｝であり、二次領域ｊ内における一次シーケンスインデックスｄｉに関する伝送された二次シーケンスセットが、｛ｓｄｉ０，ｓｄｉ１，ｓｄｉＥｄｉ｝である場合、二次領域ｊ内において受信された二次領域信号ｒｊ（ｎ）は、以下によって判定されることができる。
【数１】
0006440709.tif 000004
ＭＵＤ型検出のタスクは、上記の方程式に従って、検出された一次シーケンス毎に、伝送された二次シーケンスのセットを見つけることである。
・最終的に、ＡＣＩ検出器１０８は、上記に議論されるＡＣＩマッピングテーブルを調べることによって、検出された一次および二次シーケンスの組み合わせの全てに従って、セル１０２のＡＣＩユニット１０４によって伝送されたＡＣＩの数の全てを識別する。
【００３７】
本明細書に議論される機構、技術、および概念は、ＡＣＩ以外の情報を提供するために、他の用途において利用されてもよい。非限定実施例に関して、異種ネットワークまたはＨｅｔＮｅｔにおいて、ＬＰＮによってサポートされる周波数キャリア等の情報、もしくは周波数キャリア等の優先度は、本発明の種々の代替実施形態に従って、効率的な層内および層間の動作を可能にするように提供され得る。
【００３８】
図４は、モバイル通信ネットワーク内における、補助セル識別情報伝送および検出をサポートするプロセスの実施例のフローチャート４００を描写する。この図は、例証の目的のための特定の順序における機能的ステップを描写するが、プロセスは、ステップの任意の特定の順序または範囲に限定されない。当業者は、この図に表現された種々のステップが、種々の方法で、省略される、再配列される、組み合わせられる、および／または適合され得ることを認識するであろう。
【００３９】
図４の実施例では、フローチャート４００は、ＡＣＩが、１つまたはそれを上回る一次領域および１つまたはそれを上回る二次領域内において、セルによって伝送されるように設計および構成され、二次領域がそれぞれ、一次領域のうちの１つと関連付けられる、ブロック４０２において開始する。フローチャート４００は、ＡＣＩが、１つまたはそれを上回る伝送において、セルの対象範囲内に位置する複数のユーザ機器（ＵＥ）に伝送される、ブロック４０４に進む。フローチャート４００は、伝送されたＡＣＩが検出され、セルが検出されたＡＣＩに基づいて識別される、ブロック４０６において終了する。
【００４０】
本発明の１つまたはそれを上回る実施形態が、上記に説明されているが、それらは、限定としてではなく、実施例にすぎないものとして提示されていることを理解されたい。同様に、種々の図または略図は、本開示に含まれ得る特徴および機能性を理解する際に、補助するために行われる、本開示に関するアーキテクチャまたは他の構成である実施例を描写してもよい。本開示は、例証される例示的アーキテクチャまたは構成に制限されないが、様々な代替アーキテクチャおよび構成を使用して、実装されることができる。
【００４１】
加えて、本発明は、種々の例示的実施形態および実装の観点から上記に説明されるが、１つまたはそれを上回る個々の実施形態に説明される種々の特徴および機能性は、そのような実施形態が説明されるかどうか、およびそのような特徴が説明される実施形態の一部として提示されるかどうかにかかわらず、それらが説明される特定の実施形態のその適用性に限定されず、代わりに、単独またはいくつかの組み合わせで、本発明の１つまたはそれを上回る他の実施形態に適用され得ることを理解されたい。したがって、本発明の範疇および範囲は、上記に説明される例示的実施形態のいずれかによって限定されるべきではない。
【００４２】
本書に説明される１つまたはそれを上回る機能は、適切に構成されるモジュールによって実施されてもよい。本明細書に使用される用語「モジュール（ｍｏｄｕｌｅ）」は、本明細書に説明される関連付けられる機能を実施するためのハードウェア、ファームウェア、ソフトウェアおよびソフトウェアを実行する関連付けられるハードウェア、ならびにこれらの要素の任意の組み合わせを指すことができる。加えて、種々のモジュールは、離散モジュールであることができる。しかしながら、当業者に明白であろうように、２つまたはそれを上回るモジュールが、本発明の実施形態に従って、関連付けられる機能を実施する単一のモジュールを形成するように組み合わせられてもよい。
【００４３】
加えて、本書に説明される１つまたはそれを上回る機能は、概して、メモリストレージデバイスまたはストレージユニット等の媒体を指すために、本明細書に使用される「コンピュータプログラム製品」、「非一過性コンピュータ可読媒体」、および同等物内に記憶されるコンピュータプログラムコードを用いて実施されてもよい。コンピュータ可読媒体のこれらおよび他の形態は、プロセッサに規定の動作を実施させるために、プロセッサによる使用のため１つまたはそれを上回る命令を記憶することに関与してもよい。そのような命令は、概して、実行されると、コンピューティングシステムが所望の動作を実施することを可能にする「コンピュータプログラムコード」（コンピュータプログラムまたは他の群化の形態で群化され得る）と称される。
【００４４】
明確性の目的のために、上記の説明は、異なる機能的ユニットおよび／またはプロセッサを参照して、本発明の実施形態を説明していることが認識されるであろう。しかしながら、異なる機能的ユニット、プロセッサ、またはドメイン間での機能性の任意の好適な分配は、本発明から逸脱することなく、使用されてもよいことが明白であるであろう。例えば、別個のユニット、プロセッサ、またはコントローラによって実施される例証される機能性は、同一のユニット、プロセッサ、またはコントローラによって実施されてもよい。故に、具体的機能的ユニットの言及は、本発明によって要求される厳密な論理的または物理的な構造もしくは編成を示すのではなく、説明された機能性を提供するための好適な手段の言及のみと見なされる。
【図１】
0006440709.tif 000005
【図２】
0006440709.tif 000006
【図３】
0006440709.tif 000007
【図４】
0006440709.tif 000008